(57)【要約】【課題】注射針を腕に刺した状態でも加温器具の取り替えが容易であり、注射針の穿刺部分近辺を加温することにより患者の苦痛を和らげることができる。【解決手段】加温器具において、通気性の袋体２と、この袋体２に包含され、本体の一部を切り欠いた形状に形成され、少なくとも注射針が挿入可能な切欠部７を有し、空気の存在によって発熱する化学カイロ１からなる発熱体と、この発熱体を身体に固定する止めバンド５とを備えた。【選択図】　　　　図１
0003097531.tif 000002
【実用新案登録請求の範囲】
【請求項１】
通気性の袋体と、
この袋体に包含され、本体の一部を切り欠いた形状に形成され、少なくとも注射針が挿入可能な切欠部を有し、空気の存在によって発熱する化学カイロからなる発熱体と、
この発熱体を身体に固定する止めバンドとを備えたことを特徴とする加温器具。
【請求項２】
通気性の袋体と、
この袋体内に包含され、本体の一部に細長く切り込んだ形状の切欠部を有し、空気の存在によって発熱する化学カイロからなる発熱体と、
この発熱体を身体に固定する接着材とを備えたことを特徴とする加温器具。
【考案の詳細な説明】
【０００１】
【考案の属する技術分野】
本考案は、身体の一部を発熱体で加温できる加温器具に関する。
【０００２】
【従来の技術】
従来、例えば実開平２−１２６６５２号公報に示された点滴時の苦痛を和らげる器具は、輸液を体内に注入する際、使い捨て化学カイロにより点滴チューブ内の輸液を温めて体内に注入していた。
【０００３】
しかし、このような従来の使い捨て化学カイロを用いたチューブ加温器では、点滴チューブを加温するのみで患者の痛みを感じる腕を直接加温することができず、注射針の穿刺部分近辺の痛みを加温により和らげることができなかった。
【０００４】
【考案が解決しようとする課題】
本考案は上記のような課題に鑑み、点滴を受ける患者が注射針の穿刺部分に心地良い温かさを感じられ、しかも取り扱い容易な加温器具を提供するものである。
【０００５】
【課題を解決するための手段】
本考案に係る加温器具は、通気性の袋体と、この袋体に包含され、本体の一部を切り欠いた形状に形成され、少なくとも注射針が挿入可能な切欠部を有し、空気の存在によって発熱する化学カイロからなる発熱体と、この発熱体を身体に固定する止めバンドとを備えたことを特徴とする。
【０００６】
また、本考案に係る加温器具は、通気性の袋体と、この袋体内に包含され、本体の一部に細長く切り込んだ形状の切欠部を有し、空気の存在によって発熱する化学カイロからなる発熱体と、この発熱体を身体に固定する接着材とを備えたことを特徴とする。
【０００７】
【考案の実施の形態】
実施の形態１．
図１は実施の形態１における加温器具の使用例を示す斜視図、図２は図１の加温器具の平面図、図３は図２の側面図である。図１、図２、及び図３において、１は空気の存在によって発熱する発熱体である化学カイロ、２は化学カイロ１を収納する通気性の収納袋、３は腕、図３の４は化学カイロ１の発熱を腕３に伝達する布製の保温体、５は発熱体を腕３に固定する固定手段である止めバンド、図１の６は点滴用の注射針、７は化学カイロ１と収納袋２の一部を細長く切り込んだような形状に形成され、注射針６が挿入可能な切欠部、８は注射針６に接続されるタコ管、９は輸液を供給するチューブ、図２と図３の１０は止めバンド５に接続され加温器具を腕３に締め付けるための粘着材、１１は化学カイロ１の通気性を得るための通気孔、この通気孔１１は化学カイロ１の使用前は閉鎖し気密性を保つ。
【０００８】
図２の１２は止めバンド５に設置された弾性体、図１の１３は注射針６の押えテープ、１４はチューブ９の押えテープ、図２の１５は収納袋２の挿入口であり、化学カイロ１を取り替えるタイプの場合に設けられる。
【０００９】
輸液の点滴をするとき、注射針６を腕３の静脈に穿刺する。このとき通常、輸液の温度が体温より低いが、低すぎると患者が寒けを感じたり、注射針６の穿刺部分やその近辺に痛みを感じる場合がある。
【００１０】
実施の形態１では、注射針６を腕３に刺した後、加温器具の切欠部７の中に注射針６を配置し、加温器具を巻き付け、止めバンド５で固定する。そのため化学カイロ１の熱により注射針６の穿刺部分近辺の腕３を温めることができる。
従って、低温の輸液が腕３内に注入されても、穿刺部分近辺が温められるため、患者の苦痛を和らげ、長時間に亘る点滴でも痛みを少なくすることができる。
【００１１】
また、注射する前に加温器具を腕に巻き付け、その後においても、加温器具に切欠部があるため腕に注射することもでき、また加温器具が不要になったときは、注射針を刺したままでも、加温器具を取り外すことができるので、取り扱いが極めて容易である。
【００１２】
実施の形態２．
切欠部の形状は、Ｖ字状、Ｕ字状など注射針が刺さった状態においても、加温器具を取り外すことができるような切り口、裂け目、または隙間を形成することが好ましい。
【００１３】
図４はＶ字状の切欠部１７の平面図、図５は曲線状の切欠部１８の平面図、図６はのこぎり状の切欠部１９の平面図である。
【００１４】
この実施の形態２のような切欠部１７，１８，１９の形状においても、注射針を腕に刺した後、加温器具を腕に巻き付けけることができる。また、加温器具を先に巻き付けた後においても、切欠部１７，１８，１９が設置されているため腕に注射することもでき、また加温器具が不要になったときは、注射針を刺したままでも、加温器具を取り外すことができるので、取り扱いが極めて容易である。
【００１５】
実施の形態３．
図７は実施の形態３における加温器具の平面図、図８は図７のＢ−Ｂ断面図である。
図７及び図８において、３１は空気の存在によって発熱する化学カイロ、３２は通気性の収納袋、３３は化学カイロ３１の発熱を身体に伝達する布製の保温体、３４は身体への固定手段である接着材、３５は化学カイロ３１と収納袋３２の一部を切り欠いたような形状に形成され、中央の円形部分に注射針（図示せず）をが挿入できる切欠部、３６は化学カイロ３１の通気性を得るための通気孔、この通気孔３６は化学カイロ３１の使用前は閉鎖し気密性を保つ。
【００１６】
この実施の形態３のような円形状の加温器具において、注射針を腕に刺した後、接着材３４により加温器具を腕に張付けることができ、加温する位置が固定し易く、化学カイロの熱により、腕を温め、その痛みを和らげることができる。
【００１７】
また、加温器具を腕に張付けた後においても、切欠部が存在するため、腕に注射することもでき、また加温器具が不要になったときは、注射針を刺したままでも、加温器具を取り外すことができるので、取り扱いが極めて容易である。
【００１８】
なお、発熱体の切欠部の長さは注射針の長さによって適宜決定すればよい。また、加温部分の大きさも注射針を深く身体に刺すようであれば、これに合わせて奥行きの長いものにすると好ましい。
【００１９】
また、身体に固定する手段としては、通常の接着材の他に、発汗吸収材を発熱体の裏に貼付したり、容易に移動しないように滑り止め材を接着することも好ましい。
なお、保温体は発熱体が長時間発熱するものであるときは省略することもできる。
【００２０】
【考案の効果】
以上説明したように、本考案に係る加温器具は切欠部を備えているため注射針が刺さっていても加温器具の取り替えが容易であると共に、注射針の穿刺部分近辺を加温することにより患者の苦痛を和らげることができる。
【図面の簡単な説明】
【図１】実施の形態１の加温器具の使用方法を示す斜視図である。
【図２】図１の加温器具の平面図である。
【図３】図２の加温器具の側面図である。
【図４】実施の形態２の加温器具の平面図である。
【図５】実施の形態２の他の加温器具の平面図である。
【図６】実施の形態２の他の加温器具の平面図である。
【図７】実施の形態３の加温器具の正面図である。
【図８】図７のＢ−Ｂ断面図である。
【符号の説明】
１：化学カイロ、２：収納袋、３：腕、４：保温体、５：止めバンド、６：注射針、７：切欠部、８：タコ管、９：チューブ、１０：粘着材、１１：通気孔、１２：弾性体、１３：押えテープ、１４：押えテープ、１５：挿入口、１７：切欠部、１８：切欠部、１９：切欠部、３１：化学カイロ、３２：収納袋、３３：保温体、３４：接着材、３５：切欠部、３６：通気孔。
【図１】
0003097531.tif 000003
【図２】
0003097531.tif 000004
【図３】
0003097531.tif 000005
【図４】
0003097531.tif 000006
【図５】
0003097531.tif 000007
【図６】
0003097531.tif 000008
【図７】
0003097531.tif 000009
【図８】
0003097531.tif 000010